(57)【要約】【課題】発行するＩＤカードにおける暗証コードの漏洩を防ぐことができ、セキュリティの向上を図ることができ、さらに事前の暗証コード登録が不要となり、顔画像の撮影開始までの時間を短縮できる。【解決手段】免許証の更新時に、住所などの記載事項に変更のない場合、適正検査の後、顔画像を撮像する際に、免許証番号、更新を示す情報（自動更新フラグ）とともに、暗証コードの有無を示す情報（ＰＩＮ有無フラグ）と申請者により入力された暗証コードにより、情報管理コンピュータに登録されている旧免許証の暗証コードを含めて自動更新し、この更新された内容に基づいて更新用の免許証を発行するものである。【選択図】      図２
2005284739.tif 000002
【特許請求の範囲】
【請求項１】
ＩＤカードを発行する発行装置において、
ＩＤカード発行の申請者の顔画像を撮像する撮像手段と、
申請者により暗証コードを入力する入力手段と、
この申請者に対する旧ＩＤカードの記憶内容の内の少なくとも顔画像データを上記撮像手段による顔画像データにより更新するとともに、ＩＤカードの記憶内容の読取りを制限する暗証コードを上記入力手段により入力された暗証コードに更新する更新手段と、
この更新手段により少なくとも顔画像データが更新された旧ＩＤカードの記憶内容を、上記更新手段により更新された暗証コードにより読取りが制限された状態で記憶するＩＤカードを発行する発行手段と、
を有することを特徴とする発行装置。
【請求項２】
ＩＤカードを発行する発行方法において、
ＩＤカード発行の申請者の顔画像を撮像する撮像工程と、
申請者により暗証コードを入力する入力工程と、
この申請者に対する旧ＩＤカードの記憶内容の内の少なくとも顔画像データを上記撮像工程による顔画像データにより更新するとともに、ＩＤカードの記憶内容の読取りを制限する暗証コードを上記入力工程により入力された暗証コードに更新する更新工程と、
この更新工程により少なくとも顔画像データが更新された旧ＩＤカードの記憶内容を、上記更新工程により更新された暗証コードにより読取りが制限された状態で記憶するＩＤカードを発行する発行工程と、
を有することを特徴とする発行方法。
【請求項３】
ＩＤカード番号に対してＩＤカードの記載情報が登録されている登録手段と、
ＩＤカード番号に対する記載情報の送出要求に基づいて対応するＩＤカードの記載情報を出力する出力手段とを有する情報管理コンピュータと、
この情報管理コンピュータと通信回線を介して接続され、
発行するＩＤカードに添付される顔画像を撮像する撮像手段と、
発行するＩＤカードのＩＤカード番号を入力する入力手段と、
発行するＩＤカードの登録内容の読取りを制限する暗証コードを設定する設定手段と、
上記入力手段により入力されたＩＤカード番号に対する記載情報の送出要求を上記情報管理コンピュータへ送信する送信手段と、
この送出要求の送信に応答して得られる記載情報と上記撮像手段により撮像された顔画像とが印刷され、その記載情報と顔画像とが上記暗証コードにより読取りが制限された状態で登録されるＩＤカードを発行する発行手段とを有する発行装置と、
により構成されることを特徴とするＩＤカード発行システム。
【請求項４】
ＩＤカード番号に対してＩＤカードの記載情報が登録されている登録手段と、
ＩＤカード番号に対する記載情報の送出要求に基づいて対応するＩＤカードの記載情報を出力する出力手段とを有する登録装置と
この登録装置と通信回線を介して接続され、
発行するＩＤカードに添付される顔画像を撮像する撮像手段と、
発行するＩＤカードのＩＤカード番号を入力する入力手段と、
発行するＩＤカードの別々の登録内容の読取りを制限するための第１の暗証コード、第２の暗証コードを設定する設定手段と、
上記入力手段により入力されたＩＤカード番号に対する記載情報の送出要求を上記登録装置へ送信する送信手段と、
この送出要求の送信に応答して得られる記載情報と上記撮像手段により撮像された顔画像とが印刷され、その記載情報と顔画像とによる登録内容の別々の部分が上記第１の暗証コード、第２の暗証コードにより読取りが制限された状態で登録されるＩＤカードを発行する発行手段とを有する発行装置と、
により構成されることを特徴とするＩＤカード発行システム。
【請求項５】
上記発行手段において、上記ＩＤカードに登録される記載情報が、氏名、生年月日、本籍、住所、交付年月日、有効期限、証明書の条件等、証明書の取得年月日、取得証明書の種類等の個人情報であり、第１の暗証コードにより本籍と顔画像データ以外の住所、氏名等に対する読取りが制限され、第２の暗証コードにより本籍と顔画像データ、氏名等に対する読取りが制限されることを特徴とする請求項４に記載のＩＤカード発行システム。
【請求項６】
ＩＤカード番号に対してＩＤカードの記載情報が登録されている登録手段と、
ＩＤカード番号に対する記載情報の送出要求に基づいて対応するＩＤカードの記載情報を出力する出力手段とを有する情報管理コンピュータと、
この情報管理コンピュータと通信回線を介して接続され、
発行するＩＤカードに添付される顔画像を撮像する撮像手段と、
発行するＩＤカードのＩＤカード番号を入力する入力手段と、
発行するＩＤカードの登録内容の読取りを制限する暗証コードを設定する第１の設定手断と、
この第１の設定手断により暗証コードの設定を行わない際に、デフォルトの番号を設定する第２の設定手断と、
上記入力手段により入力されたＩＤカード番号に対する記載情報の送出要求を上記情報管理コンピュータへ送信する送信手段と、
この送出要求の送信に応答して得られる記載情報と上記撮像手段により撮像された顔画像とが印刷され、その記載情報と顔画像とが上記暗証コードにより読取りが制限された状態あるいはデフォルトの番号により読取りが制限されない状態で登録されるＩＤカードを発行する発行手段とを有する発行装置と、
により構成されることを特徴とするＩＤカード発行システム。
【発明の詳細な説明】
【技術分野】
【０００１】
この発明は、たとえば、ＩＣカード化されている免許証、証明書等のＩＤカードを発行する発行装置と発行方法とＩＤカード発行システムに関する。
【背景技術】
【０００２】
近年、免許証等のＩＤカードのＩＣカード化が始まろうとしている。（特許文献１）
このＩＤカードでは、登録データの読取り時に、暗証コード照合により本人確認を行うことにより、セキュリティが保たれるものとなっている。この暗証コードは、免許証の仕様上、ＩＤカードの発行ごとに登録しておく必要がある。カード作成後には、暗証コードの変更が行えないものとなっている。
【０００３】
このようなＩＤカードの発行システムでは、申請書に記載された暗証コードを他の記載情報とともにオペレータ入力により、ホスト（情報管理コンピュータ）に登録され、顔画像の撮影時に、ホストから読み出した記載情報と顔画像データに暗証コードを付加してＩＣカード内に登録するようになっている。
【０００４】
この場合、申請者の暗証コードを第３者が知り得る状況にあり、セキュリティ上問題がある。
【０００５】
また、事前に暗証コードをホストへ登録する必要があり、すでに登録されている内容で更新処理を行うシステムであっても、その処理が余計にかかるものとなっている。
【特許文献１】特開２００１−０８８４７８号
【発明の開示】
【発明が解決しようとする課題】
【０００６】
この発明は、発行するＩＤカードにおける暗証コードの漏洩を防ぐことができ、セキュリティの向上を図ることができ、さらに事前の暗証コード登録が不要となり、顔画像の撮影開始までの時間を短縮できる発行装置と発行方法とＩＤカード発行システムを提供することを目的とする。
【課題を解決するための手段】
【０００７】
この発明は、ＩＤカードを発行する発行装置において、ＩＤカード発行の申請者の顔画像を撮像する撮像手段と、申請者により暗証コードを入力する入力手段と、この申請者に対する旧ＩＤカードの記憶内容の内の少なくとも顔画像データを上記撮像手段による顔画像データにより更新するとともに、ＩＤカードの記憶内容の読取りを制限する暗証コードを上記入力手段により入力された暗証コードに更新する更新手段と、この更新手段により少なくとも顔画像データが更新された旧ＩＤカードの記憶内容を、上記更新手段により更新された暗証コードにより読取りが制限された状態で記憶するＩＤカードを発行する発行手段とを有する。
【０００８】
この発明は、ＩＤカード番号に対してＩＤカードの記載情報が登録されている登録手段と、ＩＤカード番号に対する記載情報の送出要求に基づいて対応するＩＤカードの記載情報を出力する出力手段とを有する情報管理コンピュータと、この情報管理コンピュータと通信回線を介して接続され、発行するＩＤカードに添付される顔画像を撮像する撮像手段と、発行するＩＤカードのＩＤカード番号を入力する入力手段と、発行するＩＤカードの登録内容の読取りを制限する暗証コードを設定する設定手段と、上記入力手段により入力されたＩＤカード番号に対する記載情報の送出要求を上記情報管理コンピュータへ送信する送信手段と、この送出要求の送信に応答して得られる記載情報と上記撮像手段により撮像された顔画像とが印刷され、その記載情報と顔画像とが上記暗証コードにより読取りが制限された状態で登録されるＩＤカードを発行する発行手段とを有する発行装置と、により構成される。
【０００９】
この発明は、ＩＤカード番号に対してＩＤカードの記載情報が登録されている登録手段と、ＩＤカード番号に対する記載情報の送出要求に基づいて対応するＩＤカードの記載情報を出力する出力手段とを有する登録装置と、この登録装置と通信回線を介して接続され、発行するＩＤカードに添付される顔画像を撮像する撮像手段と、発行するＩＤカードのＩＤカード番号を入力する入力手段と、発行するＩＤカードの別々の登録内容の読取りを制限するための第１の暗証コード、第２の暗証コードを設定する設定手段と、上記入力手段により入力されたＩＤカード番号に対する記載情報の送出要求を上記登録装置へ送信する送信手段と、この送出要求の送信に応答して得られる記載情報と上記撮像手段により撮像された顔画像とが印刷され、その記載情報と顔画像とによる登録内容の別々の部分が上記第１の暗証コード、第２の暗証コードにより読取りが制限された状態で登録されるＩＤカードを発行する発行手段とを有する発行装置により構成される。
【００１０】
この発明は、ＩＤカード番号に対してＩＤカードの記載情報が登録されている登録手段と、ＩＤカード番号に対する記載情報の送出要求に基づいて対応するＩＤカードの記載情報を出力する出力手段とを有する情報管理コンピュータと、この情報管理コンピュータと通信回線を介して接続され、発行するＩＤカードに添付される顔画像を撮像する撮像手段と、発行するＩＤカードのＩＤカード番号を入力する入力手段と、発行するＩＤカードの登録内容の読取りの許可を判断するための暗証コードを設定する第１の設定手断と、この第１の設定手断により暗証コードの設定を行わない際に、デフォルトの番号を設定する第２の設定手断と、上記入力手段により入力されたＩＤカード番号に対する記載情報の送出要求を上記情報管理コンピュータへ送信する送信手段と、この送出要求の送信に応答して得られる記載情報と上記撮像手段により撮像された顔画像とが印刷され、その記載情報と顔画像とが上記暗証コードにより読取りが制限された状態あるいはデフォルトの番号により読取りが制限されない状態で登録されるＩＤカードを発行する発行手段とを有する発行装置と、により構成される。
【発明の効果】
【００１１】
この発明によれば、発行するＩＤカードにおける暗証コードの漏洩を防ぐことができ、セキュリティの向上を図ることができ、さらに事前の暗証コード登録が不要となり、顔画像の撮影開始までの時間を短縮できる。
【発明を実施するための最良の形態】
【００１２】
以下、図面を参照してこの発明の一実施形態のＩＤカード発行システムを説明する。  
上記ＩＤカード発行システムは、図１に示すように、情報管理コンピュータ１、ＩＤカード発行機２により構成されている。
【００１３】
上記情報管理コンピュータ１、ＩＤカード発行機２は、ＬＡＮ等の通信回線３によりオンライン接続されている。  
上記情報管理コンピュータ１には、データベース１ａを用いてＩＤカード情報をＩＤ番号（免許証番号）に基づいて管理するものである。例えば、データベース１ａには、免許証番号に基づいて氏名、生年月日、本籍、住所、交付年月日、有効期限、免許の条件等、免許の取得年月日、取得免許の種類等の個人情報が登録されるとともに、２種類の暗証コードが設定されるようになっている。
【００１４】
上記ＩＤカード発行機２は、申請者、もしくは申請書の顔写真から顔画像を読取り、ＩＤカード情報を情報管理コンピュータ１より取得し、免許証等のＩＤカード（ＩＣカード）を作成するものである。  
上記ＩＤカード情報は、免許証番号に対する免許証の記載情報（氏名、生年月日、本籍、住所、交付年月日、有効期限、免許の条件等、免許の取得年月日、取得免許の種類等の個人情報）であり、あらかじめ申請書に基づいて登録機（図示しない）により入力されたデータあるいは前回の免許証発行時のデータである。
【００１５】
上記ＩＤカード発行機２は、申請者の顔画像を撮像する撮像機１１、申請者の免許証番号を入力するオペレータ端末１２、申請者用の暗証コード入力機１３、上記情報管理コンピュータ１とのデータの送受信を行う送受信部１４、上記情報管理コンピュータ１からのＩＤカード情報に基づいて作成される印刷データと記憶データによりＩＤカードを作成するＩＤカード作成部１５、この機器全体を制御する主制御部１６によって構成されている。
【００１６】
次に、上記のような構成において、記載事項（住所や氏名）の変更がない状態でＩＤカード発行機２によりＩＤカードを更新発行する際の処理を、図２に示すフローチャートを参照しつつ説明する。
【００１７】
まず、係員はオペレータ端末１２の操作により申請者の免許証番号を入力するとともに、撮像機１１を用いて申請者の顔画像の撮影を行う（ＳＴ１）。
【００１８】
次に、申請者が暗証コード入力機１３を用いて、本籍と顔画像データ以外の住所、氏名等に対する第１の暗証コード（ＰＩＮ１：数字４桁）と、本籍と顔画像データに対する第２の暗証コード（ＰＩＮ２：数字４桁）を入力する（ＳＴ２）。ＰＩＮ１とＰＩＮ２は同じ番号でも良い。ＰＩＮ１とＰＩＮ２の番号を設定したくなければ設定しなくても良い。この場合、無条件に決められた番号がセットされる。
【００１９】
上記暗証コード入力の後、主制御部１６は上記入力された申請者の免許証番号と第１、第２の暗証コードと撮影された顔画像データと自動更新フラグを、送受信部１４を用いて情報管理コンピュータ１へ送信する（問合せを行う）（ＳＴ３）。
【００２０】
情報管理コンピュータ１は、自動更新フラグの供給に基づいて、同時に供給される申請者の免許証番号に対応するデータベース１ａのＩＤカード情報の交付年月日、有効期限、顔画像データ、第１、第２の暗証コードを更新する（ＳＴ４）。
【００２１】
ついで、情報管理コンピュータ１は、この更新された免許証番号に対応するデータベース１ａのＩＤカード情報を問合せのあったＩＤカード発行機２内の主制御部１６へ送受信部１４を介して返送する（ＳＴ５）。
【００２２】
これにより、主制御部１６は返送されたＩＤカード情報に基づく印刷データと記憶データとを作成し（ＳＴ６）、この作成した印刷データと記憶データとを用いて、ＩＤカード作成部１５により更新されたＩＤカードが作成されて発行される（ＳＴ７）。
【００２３】
この発行されたＩＤカードに記憶されている内容を図示しないリーダにより読み出して利用する際、第１の暗証コードの一致により本籍と顔画像データ以外の住所、氏名等に対するデータを読み出すことができ、第２の暗証コードの一致により本籍と顔画像データを読み出すことができる。
【００２４】
上記したように、免許証の更新時に、住所などの記載事項に変更のない場合、適正検査の後、顔画像を撮像する際に、免許証番号、更新を示す情報（自動更新フラグ）とともに、暗証コードの有無を示す情報（ＰＩＮ有無フラグ）と申請者により入力された暗証コードにより、情報管理コンピュータに登録されている旧免許証の暗証コードを含めて自動更新し、この更新された内容に基づいて更新用の免許証を発行するものである。
【図面の簡単な説明】
【００２５】
【図１】この発明のＩＤカード発行システムの概略構成を示す図。
【図２】この発明のＩＤカードを更新発行する際の処理を説明するためのフローチャート。
【符号の説明】
【００２６】
１…情報管理コンピュータ、２…ＩＤカード発行機、３…通信回線、１１…撮像機、１２…オペレータ端末、１３…暗証コード入力機、１４…送受信部、１５…ＩＤカード作成部、１６…主制御部。
【図１】
2005284739.tif 000003
【図２】
2005284739.tif 000004